(57)【要約】【課題】利用者が簡単な操作で観測データを見やすく表示して閲覧できるようにする。【解決手段】観測データ閲覧画面作成プログラム（閲覧プログラム１７ａ）に、観測装置２３，４２，６２で観測された観測データを取得するステップＳ２〜Ｓ４と、複数の前記観測データを半旬毎でまとめて平均値を算出した半旬平均値を得るステップＳ６と、前記半旬平均値に基づく半旬平均表表示画面２１０を出力するステップＳ６６とを有し、前記半旬平均表表示画面２１０は、時系列を示す縦軸２１１と、観測装置２３，４２，６２の分類または年を示す横軸２１２と、縦軸２１１と横軸２１２の交点に該当する前記演算値が表示される閲覧用観測値２１４と、予め定められた基準と当該観測値とを比較した結果を閲覧用観測値２１４内またはその近傍に表示する比較結果表示部２１３とを備えた。【選択図】図１２
2015094606.tif 000002
【特許請求の範囲】
【請求項１】
観測装置で観測された観測データを取得する観測データ取得処理部と、
複数の前記観測データを所定時間単位毎でまとめて演算した演算値を得る演算処理部と、
前記演算値に基づく観測データ閲覧画面を出力する観測データ出力処理部とを有し、
前記観測データ閲覧画面は、
時系列を示す第１軸と、
前記観測装置の分類または年を示す第２軸と、
前記第１軸と前記第２軸の交点に該当する前記演算値が表示される演算値表示部と、
予め定められた基準と当該観測値とを比較した結果を前記演算値表示部内またはその近傍に表示する比較結果表示部とを備えた
観測データ閲覧画面作成装置。
【請求項２】
前記演算値を求める基となる前記観測データの量が所定割合未満の場合に、観測データが一部欠損している状態で演算した演算値であることを示す欠損有表示部を備えた
請求項１記載の観測データ閲覧画面作成装置。
【請求項３】
前記観測データ取得処理部は、
複数種類の観測装置から形式の異なる観測データを収集する構成であり、
収集した観測データを閲覧用のデータに変換するデータ変換処理部を備えた
請求項１または２記載の観測データ閲覧画面作成装置。
【請求項４】
前記データ変換処理部は、
前記観測データ取得処理部により取得した観測データのうち予め定めた基準観測時刻と実際の観測時刻が異なっている観測データについて、基準観測時刻の前後の観測データを用いて前記基準観測時刻の値を推定する推定処理を実行する
請求項３記載の観測データ閲覧画面作成装置。
【請求項５】
前記観測データ取得処理部は、
観測データの取得時にエラーが発生した観測装置に関して、取得できなかった該当観測データを次回のデータ取得処理時に取得するエラー処理を実行する
請求項１から４のいずれか１つに記載の観測データ閲覧画面作成装置。
【請求項６】
観測装置で観測された観測データを取得する観測データ取得処理と、
複数の前記観測データを所定時間単位毎でまとめて演算した演算値を得る演算処理と、
前記演算値に基づく観測データ閲覧画面を出力する観測データ出力処理とを実行し、
前記観測データ閲覧画面に、
時系列を示す第１軸と、
前記観測装置の分類または年を示す第２軸と、
前記第１軸と前記第２軸の交点に該当する前記演算値が表示される演算値表示部と、
予め定められた基準と当該観測値とを比較した結果を前記演算値表示部内またはその近傍に表示する比較結果表示部とを表示する
観測データ閲覧画面作成方法。
【請求項７】
コンピュータを、
観測装置で観測された観測データを取得する観測データ取得処理部と、
複数の前記観測データを所定時間単位毎でまとめて演算した演算値を得る演算処理部と、
前記演算値に基づく観測データ閲覧画面を出力する観測データ出力処理部として機能させ、
前記観測データ閲覧画面は、
時系列を示す第１軸と、
前記観測装置の分類または年を示す第２軸と、
前記第１軸と前記第２軸の交点に該当する前記演算値が表示される演算値表示部と、
予め定められた基準と当該観測値とを比較した結果を前記演算値表示部内またはその近傍に表示する比較結果表示部とを備えた
観測データ閲覧画面作成プログラム。
【発明の詳細な説明】
【技術分野】
【０００１】
この発明は、海況等の観測データを閲覧するような観測データ閲覧画面作成装置、観測データ閲覧画面作成方法、および観測データ閲覧画面作成プログラムに関する。
【背景技術】
【０００２】
従来、海況を定点観測する装置として、水温、塩分濃度、流向、および流速等の観測値を複数の層（水深）で測定する様々な観測装置が提供されている。例えば、ブイの位置、高度、時刻、表面水温、波高、深度、水温情報等の観測データを衛星経由で送信できる気象海象観測装置が提案されている（特許文献１参照）。
【０００３】
ここで、水温や塩分濃度等の海況を把握することは、プランクトンの発生状況、貝類における貝毒の状況、回遊魚の移動時期の予測、養殖における水深調整等、様々な研究分析や産業活動に役立つ。このため、海上に浮遊させるブイに各種の測定センサや電源や通信装置を備えて定点観測できる観測装置の種類も増加してきている。
【０００４】
観測データを利用するものとして、例えば観測データ同化方法および観測データ同化装置が提案されている（特許文献２参照）。この観測データ同化装置は、予測データに観測データを同化させるものであり、鉛直方向により高精度な予測データが得られるとされている。
【０００５】
しかし、この観測データ同化装置は、海況を定点観測した海況データを容易に見やすく閲覧できるようなものではなかった。
【先行技術文献】
【特許文献】
【０００６】
【特許文献１】特開２００２−３３３４８８号公報
【特許文献２】特開２００８−２４１４３３号公報
【発明の概要】
【発明が解決しようとする課題】
【０００７】
この発明は、上述の問題に鑑みて、利用者が簡単な操作で観測データを見やすく表示して閲覧できる観測データ閲覧画面作成装置、観測データ閲覧画面作成方法、および観測データ閲覧画面作成プログラムを提供し、利用者の満足度を向上させることを目的とする。
【課題を解決するための手段】
【０００８】
この発明は、観測装置で観測された観測データを取得する観測データ取得処理部と、複数の前記観測データを所定時間単位毎でまとめて演算した演算値を得る演算処理部と、前記演算値に基づく観測データ閲覧画面を出力する観測データ出力処理部とを有し、前記観測データ閲覧画面は、時系列を示す第１軸と、前記観測装置の分類または年を示す第２軸と、前記第１軸と前記第２軸の交点に該当する前記演算値が表示される演算値表示部と、予め定められた基準と当該観測値とを比較した結果を前記観測値表示部内またはその近傍に表示する比較結果表示部とを備えた観測データ閲覧画面作成装置であることを特徴とする。
【発明の効果】
【０００９】
この発明により、利用者が簡単な操作で観測データを見やすく表示して閲覧できる観測データ閲覧画面作成装置、観測データ閲覧画面作成方法、および観測データ閲覧画面作成プログラムを提供できる。
【図面の簡単な説明】
【００１０】
【図１】海況データ総合管理システムのシステム構成図。
【図２】観測データのデータ形式の説明図。
【図３】閲覧用データ構成を示すブロック図。
【図４】観測データ閲覧画面作成プログラムによる内部画面の説明図。
【図５】閲覧用トップ画面および最新データ表示画面の画面構成図。
【図６】毎時グラフ表示画面の画面構成の説明図。
【図７】日平均グラフ表示画面の画面構成の説明図。
【図８】半旬平均表表示画面の画面構成の説明図。
【図９】スマートフォン用の画面の説明図。
【図１０】観測データ閲覧画面作成プログラムによる処理のフローチャート。
【図１１】各種のブイデータ取得処理のフローチャート。
【図１２】閲覧プログラムによる処理のフローチャート。
【発明を実施するための形態】
【００１１】
この発明の一実施形態を以下図面と共に説明する。  
【実施例】
【００１２】
図１は、海況データ総合管理システムＡのシステム構成を示すブロック図である。  
海況データ総合管理システムＡは、海況データ総合処理システム１と、観測装置管理システム２と、簡易観測装置管理システム４と、ユビキタス観測装置管理システム６とで構成されている。
【００１３】
海況データ総合処理システム１は、閲覧用観測データ１３を保存する観測データ総合データベース１２を管理し観測データ閲覧画面作成プログラム１１ａによってＷＥＢサーバ１７に閲覧用データ１７ｂ等のデータをアップロードして海況データ閲覧画面作成装置としても機能する観測情報総合処理サーバ１１と、観測情報総合処理サーバ１１に対するデータ処理や内部閲覧処理等を行う操作端末１４と、閲覧プログラム１７ａが閲覧用データ１７ｂおよびグラフ画像１７ｃを用いて外部向けのＷＥＢページや内部向けのＷＥＢページを提供して利用者に観測データの閲覧を許容するＷＥＢサーバ１７とを備えている。
【００１４】
観測情報総合処理サーバ１１および操作端末１４は、通信監理装置であるスイッチングハブ１０にＬＡＮ接続されており、このスイッチングハブ１０から通信監理装置であるルータ２０を介して公衆通信網であるインターネット９に接続されている。観測情報総合処理サーバ１１には、多数多種類の観測データを一括して表示できる観測データ閲覧画面を作成する観測データ閲覧画面作成プログラム１１ａと、観測データの「無効値」と「有効値」を管理するとともに強制的にデータ欠測とする「強制欠測」の処理を行う管理プログラム１１ｂが記憶装置にインストールされている。  
ＷＥＢサーバ１７は、レンタルサーバ等の外部のネットワークに設けられており、インターネット９に直接接続されている。これにより、ＷＥＢサーバ１７は、閲覧プログラム１７ａを動作させて閲覧用観測データ１３に基づく閲覧用データ１７ｂおよびグラフ画像１７ｃを、ブラウザプログラムを有するユーザ端末７，８に対してＷＥＢページとして出力し閲覧を許容する。
【００１５】
観測装置管理システム２は、観測装置情報提供サーバ２１と、複数の観測装置（以下、ブイロボという）２３とで構成されている。観測装置情報提供サーバ２１は、ルータ２０を介してインターネット９に接続されている。なお、図示する構成では、観測装置情報提供サーバ２１を海況データ総合処理システム１のＬＡＮ内に接続しているが、これに限らず、観測装置情報提供サーバ２１を海況データ総合処理システム１とは別のＬＡＮに接続して別経路でインターネット９に接続する構成にしてもよい。
【００１６】
ブイロボ２３は、電源部２４ｃの電力によって駆動し、水温を測定する水温測定部２６ａと塩分を測定する塩分測定部２６ｂと溶存酸素を測定する溶存酸素測定部２６ｃと流向および流速を測定する流向流速測定部２６ｄとを有する複数（図示の例では４つ）の水中測定部２６〜２９、および、気温を測定する気温測定部２５ａと風向を測定する風向測定部２５ｂと風速を測定する風速測定部２５ｃとを有する気中測定部２５を有し、これらの水中測定部２６〜２９と気中測定部２５で測定した各種の観測データ（水温、塩分濃度、溶存酸素、流向、流速、気温、風向、風速）を制御部２４が記憶部２４ａに一時記憶し通信部２４ｂによってインターネット９を介して観測装置情報提供サーバ２１へ送信する。水中測定部２６〜２９は、例えば、第１水中測定部２６が水深１ｍ層、第２水中測定部２７が水深１５ｍ層、第３水中測定部２８が水深３０ｍ層、第４水中測定部２９が底層を測定する構成とすることができるが、これに限らず適宜の水深と層数にすることができる。
【００１７】
簡易観測装置管理システム４は、簡易観測装置情報提供サーバ４１と、観測装置の一種である複数の簡易観測装置（以下、簡易ブイという）４２とで構成されている。  
簡易ブイ４２は、電源部４３ｃの電力によって駆動し、水温を測定する水温測定部４６ａを有する複数（図示の例では４つ）の水中測定部４６〜４９を有し、これらの水中測定部４６〜４９で測定した各種の観測データ（水温）を制御部４３が記憶部４３ａに一時記憶し通信部４３ｂによってインターネット９を介して簡易観測装置情報提供サーバ４１へ送信する。水中測定部４６〜４９は、例えば、第１水中測定部４６が水深１ｍ層、第２水中測定部４７が水深１０ｍ層、第３水中測定部４８が水深２０ｍ層を測定する構成とすることができるが、これに限らず適宜の水深と層数にすることができる。
【００１８】
ユビキタス観測装置管理システム６は、ユビキタス観測装置情報提供サーバ６１と、観測装置の一種である複数のユビキタス観測装置（以下、ユビキタスブイという）６２とで構成されている。  
ユビキタスブイ６２は、電源部６３ｃの電力によって駆動し、水温を測定する水温測定部６６ａを有する４つの水中測定部６６〜７０、および、気温を測定する気温測定部６５ａを有する気中測定部６５を有し、これらの水中測定部６６〜７０で測定した各種の観測データ（水温）を制御部６３が記憶部６３ａに一時記憶し通信部６３ｂによってインターネット９を介してユビキタス観測装置情報提供サーバ６１へ送信する。水中測定部６６〜７０は、例えば、第１水中測定部６６が水深１ｍ層、第２水中測定部６７が水深１０ｍ層、第３水中測定部６８が水深１５ｍ層、第４水中測定部６９が水深２０ｍ層、第５水中測定部７０が水深２８ｍ層となっている。
【００１９】
ユーザ端末７は、タッチパネル等の入力装置、液晶ディスプレイ等の表示装置、携帯電話網を用いる通信装置、データやプログラムを記憶する記憶装置、およびこれらを制御する制御装置を有しており、ＷＥＢサーバ１７にアクセスして観測データを閲覧することができる。  
ユーザ端末８は、コンピュータで構成され、ＷＥＢサーバ１７にアクセスして観測データを閲覧することができる。
【００２０】
なお、ユーザ端末７，８、観測情報総合処理サーバ１１、操作端末１４、ＷＥＢサーバ１７、観測装置情報提供サーバ２１、簡易観測装置情報提供サーバ４１、およびユビキタス観測装置情報提供サーバ６１は、いずれもパーソナルコンピュータまたはサーバコンピュータ等のコンピュータで構成されており、キーボードとマウスまたはタッチパネル等の入力装置、データ通信を行う通信処理、ＣＲＴや液晶ディスプレイ等の表示装置、ハードディスク等の記憶装置、およびＣＰＵとＲＯＭとＲＡＭで構成される制御装置を備えており、制御装置が記憶装置に記憶されているプログラムに従って演算や各種ハードウェアの動作制御を実行する。
【００２１】
図２は、観測情報総合処理サーバ１１が観測装置情報提供サーバ２１、簡易観測装置管理システム４、ユビキタス観測装置管理システム６から取得する観測データのデータ形式を説明する説明図である。
【００２２】
図２（Ａ）は、観測装置情報提供サーバ２１の記憶装置に記憶されているブイロボファイル８５（観測データ）のフォルダ構造を示す構成図である。  
ブイロボファイル８５が保存されているフォルダは、データ種別（毎時：ＨＯＵＲ，日平均：ＤＡＹ，半旬：ＨＳＯＮ）を特定するデータ種別特定フォルダ８１の下位に観測項目（水温：ＷＴ、塩分：ＳＬＴ、気温：ＡＴ、溶存酸素：ＤＯＰ、流向：ＡＤＣＰＤ、流速：ＡＤＣＰＳ、風向：ＷＤ、風速：ＷＳ）を示す観測項目フォルダ８２が設けられている。この観測項目フォルダ８２の下位に、単位時間である１時間単位で観測値を記録するブイロボファイル８５が保存されている。このブイロボファイル８５は、過去から現在の分に加えて適宜の年数分だけ将来のファイルも予め用意されて保存されている。また、ブイロボファイル８５は、ブイ名、年、層等を識別できるファイル名に設定されている。このファイル名は、例えば、「“１時間毎のデータ”＿“観測項目＋層番号”＿“ブイ名＋年”．ｃｓｖ」という形式で「ＨＯＵＲ＿ＷＴ１＿ＡＯ２０１３．ＣＳＶ」のように設定することができる。ブイロボファイル８５にはタイムスタンプ８６が設定されている。ブイロボファイル８５のデータ内容が更新されると、観測装置情報提供サーバ２１の制御装置が、タイムスタンプ８６の日時を更新日時に更新する。なお、ブイロボファイル８５を保存するフォルダの階層とファイル名の構成はこれに限らず、適宜の構成とすることができる。
【００２３】
図２（Ｂ）は、観測装置情報提供サーバ２１の記憶装置に記憶されているブイロボファイル８５のデータ内容を示す構成図である。  
図示するように、ブイロボファイル８５は、ＩＤと状態と観測値で構成されている。ＩＤは測定毎に付与されものであり、このＩＤによって何月何日の何時に測定した観測値であるのか判別できる。状態は、正常に測定できたか、測定値に異常があったか等、測定状態を表す記号が数値によって記録されている。観測値は、そのブイロボファイル８５の観測項目に応じた観測値が記録されており、例えば観測項目が水温のブイロボファイル８５であれば水温が摂氏温度で記録される。
【００２４】
図２（Ｃ）は、本システムでは簡易ブイ４２の一種として扱う波高ブイの観測データを示す波高ブイメール本文データ９１（観測データ）の説明図である。波高ブイメール本文データ９１は、観測データを予め定めた文字数で予め定めた順序に並べたデータで構成され、観測日時や観測データ等の必要データを有している。簡易観測装置情報提供サーバ４１は、電子メール送信サーバ（ＳＭＴＰサーバ）として機能し、波高ブイメール本文データ９１を有する電子メールを、予め登録されている電子メールアドレスへ送信する。なお、この受信側の電子メールを管理する電子メール受信サーバ（ＰＯＰサーバ）は図示省略している。
【００２５】
図２（Ｄ）は、簡易ブイ４２による観測データを電子メールの本文に記載して簡易観測装置情報提供サーバ４１が送信する簡易ブイメール本文データ９２（観測データ）の説明図である。簡易ブイメール本文データ９２は、簡易ブイ４２で観測した日時、各層の水温、内部圧力、内部温度、太陽電池、バッテリ、計測間隔、次回通信日時等のデータを記録している。
【００２６】
図２（Ｅ）は、簡易ブイメール本文データ９２に添付される簡易ブイ添付ファイル９３（観測データ）の説明図である。図示するように、簡易ブイ添付ファイル９３は、日時、各層の水温、内部圧力、内部温度、太陽電池、及びバッテリの各項目からなるデータを記録している。
【００２７】
図２（Ｆ）は、ユビキタス観測装置情報提供サーバ６１が記憶装置に記憶しているユビキタスブイ６２のユビキタスブイダウンロードファイル９５（観測データ）を示す説明図である。ユビキタスブイダウンロードファイル９５は、共通データとしてブイＩＤ、別名、オーナー、運用開始年月日、運用終了年月日、緯度、および経度を記録し、測定データとして各ブイロボ２３の測定データを記録している。このユビキタスブイダウンロードファイル９５は、ユビキタス観測装置情報提供サーバ６１の記憶装置に記憶されている。観測情報総合処理サーバ１１は、ユビキタス観測装置情報提供サーバ６１からユビキタスブイダウンロードファイル９５を取得する。このダウンロードは、ＰＨＰプログラムによってＨＴＴＰダウンロードする、あるいはＦＴＰでダウンロードする等、適宜の方法によって取得する。
【００２８】
図３は、取得した観測データを加工した後に観測情報総合処理サーバ１１の観測データ総合データベース１２およびＷＥＢサーバ１７の記憶装置に保存する閲覧用データ（１０１，１０２，１０３，１０４，１０５）の構造を説明する説明図である。なお、ＷＥＢサーバ１７は、その都度演算して表示するためのデータとしてブイロボ閲覧用データ１０３を記憶しておけば良く、グラフ画像１７ｃやＨＴＭＬデータを記憶しておけば他の閲覧用データ（１０１，１０２，１０４，１０５）を記憶しなくても良い。  
図３（Ａ）は、水温を保存するブイロボ閲覧用データ１０１の構造を示し、図３（Ｂ）は、観測データから演算により求めた日平均の値を保存するブイロボ閲覧用データ１０２の構造を示し、図３（Ｃ）は、日平均から演算により求めた半旬平均のブイロボ閲覧用データ１０３の構造を示す。なお、半旬とは、旬日の半分すなわち５日を指し、本実施形態では所定時間単位として半旬を用いている。ブイロボ閲覧用データ１０１，１０２，１０３は、ブイロボファイル８５（図２（Ｂ）参照）と同じ構造を有しており、ＩＤと状態と観測値で構成されている。なお、水温以外の他の観測項目については、ブイロボ閲覧用データ１０１と同じ構造で保存されるため、図示による説明を省略する。
【００２９】
図３（Ｄ）は、簡易ブイ閲覧用データ１０４のデータ構造を示す。この簡易ブイ閲覧用データ１０４は、図２と共に説明した波高ブイメール本文データ９１、簡易ブイメール本文データ９２、および簡易ブイ添付ファイル９３を基にブイロボ閲覧用データ１０１，１０２，１０３と同じ形式に加工したデータであり、ＩＤと状態と観測値（１ｍの水温等）で構成されている。なお、メール本文の時刻はメール送信時刻であるため正時ではないが、観測はＧＰＳから得る時刻等によって正時に正確に行われているため、電子メールから得たデータを正時に測定されたデータとして取り扱う。なお、正時とは、毎時０分のことを指す。
【００３０】
図３（Ｅ）は、ユビキタスブイ閲覧用データ１０５のデータ構造を示す。このユビキタスブイ閲覧用データ１０５は、ユビキタスブイダウンロードファイル９５（図２（Ｆ）参照）から必要な観測データ（日付、時刻、外気温、各層の水温）を抽出し、ブイロボ閲覧用データ１０１，１０２，１０３と同じ形式に加工したデータであり、ＩＤと状態と観測値（１ｍの水温等）で構成されている。ユビキタスブイ閲覧用データ１０５のデータは、測定時刻が基準時（正時）と異なるために基準時の値に補正した値を保存している。
【００３１】
これらの簡易ブイ閲覧用データ１０４とユビキタスブイ閲覧用データ１０５も、ブイロボ閲覧用データ１０１，１０２，１０３と同じように、データ種別特定フォルダの下位に観測項目を示す観測項目フォルダが設けられ、その下位に、単位時間である１時間単位でデータを記録するファイルが保存されており、各ファイルは、ブイ名、年、層等を識別できるファイル名に設定されている。
【００３２】
図３（Ｆ）は、毎時グラフ１０６のイメージ図である。この毎時グラフ１０６は、各ブイ（図１に示したブイロボ２３、簡易ブイ４２、ユビキタスブイ６２）の閲覧用データ１０１〜１０５を基に、特定されたブイの特定された観測項目の値を時系列のグラフとして層別に表示する。図示の例では縦軸が水温（閲覧用観測値）、横軸が日時となっており、平館ブイについて１ｍ層、１５ｍ層、３０ｍ層、および底層（４５ｍ）の４種類の水温変化を４本のグラフで表示している。
【００３３】
図３（Ｇ）は、流向と流速に基づいて把握する「流れ」の南北成分と絶対値を示す流れグラフ１０７のイメージ図である。この流れグラフの縦軸は、中心を基準として上方を北（一方角）、下方を南（逆方角）として流速（ｍ／ｓ）を示し、横軸は左から右へ進む日時を示す。成分値は、面積を塗りつぶしたグラフで示され、絶対値は線グラフで示されている。
【００３４】
図３（Ｈ）は、閲覧用観測値の日平均値に基づいて、今期の日平均グラフと昨期の日平均グラフと平年の日平均グラフ１０８を示すイメージ図である。縦軸を観測項目の値（図示の例では水温）とし、横軸を日時としている。
【００３５】
図３（Ｉ）は、閲覧用観測値の日平均値に基づいて、今期の日平均グラフと猛暑年の日平均グラフと平年の日平均グラフ１０９を示すイメージ図である。縦軸を観測項目の値（図示の例では水温）とし、横軸を日時としている。
【００３６】
なお、図３（Ｆ）〜図３（Ｉ）において、図示では各グラフを同じモノクロの線で描いているが、実際にはグラフ毎に色を変える、線種を実線や点線等に変えるなど、適宜区別できるように表示する。
【００３７】
図４は、観測情報総合処理サーバ１１の制御装置が観測データ閲覧画面作成プログラム１１ａによって動作する内部画面の説明図である。なお、内部画面とは、ＬＡＮ内部で操作および表示できる画面を指す。これに対して外部画面というときは、インターネット９を介して外部から操作および表示できる画面を指す。
【００３８】
図４（Ａ）は、強制欠測指定画面１１０の画面構成図である。この強制欠測指定画面１１０により強制欠測を行う処理は、観測情報総合処理サーバ１１の管理プログラム１１ｂ（図１参照）により実行する。
【００３９】
強制欠測指定画面１１０は、閲覧用観測データ１３のうち観測年指定部１１６とブイ名指定部１１７と項目名指定部１１８で観測年とブイ名と項目（観測項目）が指定されたデータをデータ表示部１１１に表示する。
【００４０】
データ表示部１１１の値表示部１１２はマウス等の入力装置による操作で選択することができ、選択されると選択表示部１１３として諧調反転して表示する。この選択表示部１１３がマウスで右クリックされるなど状態設定開始の操作がされると、設定ウィンドウ１１４を表示し、状態フラグを「有効値」「無効値」「強制欠測」のいずれかに設定することを許容する。「有効値」に設定された値は有効な値とされ、「無効値」に設定された値は無効な値とされ、強制欠測部１１５に表示された「強制欠測」に設定された値（値表示部１１２）は強制的に欠測させる値（領域）として設定される。強制欠測は、現在から過去だけでなく、将来の値表示部１１２についても設定できる。これにより、ブイ（２３，４２，６２）が故障等によって不適切な観測データが送られてくる場合に、修理予定の日までデータが欠測するものとして事前設定できる。これにより、観測データを受信してから手作業で「欠測」として修正する必要がなく、システムを自動運用して異常値を除外し続けることができる。なお、状態フラグは、未観測の将来部分のデータについては「無効」と設定されており、観測値を取得した時点で「強制欠測」に設定されていなければ、観測データ閲覧画面作成プログラム１１ａ（または管理プログラム１１ｂ）によって「無効」から「有効」に自動更新される。
【００４１】
表示ボタン１１９は、データ表示部１１１に表示するデータを、観測年指定部１１６とブイ名指定部１１７と項目名指定部１１８で指定されたデータに更新するボタンである。
【００４２】
破棄ボタン１２０は、指定された状態設定等を登録せずに破棄するボタンであり、保存ボタン１２１は、指定された状態設定等を閲覧用観測データ１３に保存するボタンである。
【００４３】
図４（Ｂ）は、観測データを手動でアップロードするアップロード画面１３０の画面構成図である。このアップロード画面１３０は、観測情報総合処理サーバ１１（またはＷＥＢサーバ１７）にアクセスした操作端末１４（図１参照）に対して観測データ閲覧画面作成プログラム１１ａ（または閲覧プログラム１７ａ）が表示する画面である。
【００４４】
アップロード画面１３０は、センサ選択部１３１とデータ先頭日時指定部１３２で指定されたセンサおよび日時のデータとして、データ貼付部１３３に貼り付けられたデータをアップロードする画面である。ここでデータをアップロードするセンサは、例えば通信機能のない自己記録式の単体のセンサで、メモリに観測データを記録して、回収後付属ソフト等でデータを読み取るようなセンサとすることができる。
【００４５】
クリアボタン１３４はデータ貼付部１３３のデータを削除するボタンであり、データ確認ボタン１３５はデータ貼付部１３３に貼り付けられたデータを確認する確認画面（図示省略）を表示するボタンである。この確認画面でＯＫボタンが選択されるとデータが観測情報総合処理サーバ１１にアップロードされて処理される。
【００４６】
図４（Ｃ）は、アップロードして処理された閲覧用観測データ１３をダウンロードするためのダウンロード画面１４０の画面構成図である。このダウンロード画面１４０は、観測情報総合処理サーバ１１（またはＷＥＢサーバ１７）にアクセスした操作端末１４（図１参照）に対して観測データ閲覧画面作成プログラム１１ａ（または閲覧プログラム１７ａ）が表示する画面である。
【００４７】
ダウンロード画面１４０は、データ単位指定部１４１により指定された単位で、期間指定部１４２により指定された期間、および項目選択部１４５で選択された項目（観測項目）について、ブイ選択部１４６またはセンサ選択部１４７で選択されたセンサ（ブイ、層、および観測項目により定まる）の閲覧用観測データ１３をダウンロードする画面である。
【００４８】
パスワード入力部１４３はダウンロードに必要なパスワードの入力を受け付け、モード選択部１４４は「クイック」と「マニアック」のいずれかのモードの選択を受け付けて、ダウンロードボタン１４８が選択されると指定された範囲の閲覧用観測データ１３をダウンロードする。このときダウンロードできる閲覧用観測データ１３は、アップロード画面１３０でアップロードされたデータを正時での値に補正したデータとするなど、適宜調整されている。
【００４９】
図５〜図９は、インターネット９を介してアクセスする外部のユーザ端末７，８（図１参照）によって閲覧および操作することができる各種の外部画面の画面構成図を示す。図５〜図８は、パーソナルコンピュータで構成されるユーザ端末８に対してＷＥＢサーバ１７が出力する画面であり、図９は、スマートフォンで構成されるユーザ端末７に対してＷＥＢサーバ１７が出力する画面である。
【００５０】
図５（Ａ）は、閲覧用トップ画面１６０の画面構成図である。閲覧用トップ画面１６０は、上方に設けられたメニュー部１６１と、コンテンツ部１６２とで構成されている。メニュー部１６１は、閲覧用トップ画面１６０を表示する「トップ」、「最新データ」、「毎時グラフ」、「日平均グラフ」、「半旬平均表」、「システム紹介」、および「お問い合わせ」のタブが設けられている。コンテンツ部１６２には、予め設定された複数のブイ、層、および観測項目についての今期、昨期、および平年のグラフ１６３が複数種類表示されている。
【００５１】
図５（Ｂ）は、図５（Ａ）で説明したメニュー部１６１にて「最新データ」タブが選択されると表示する最新データ表示画面１７０の画面構成図である。
【００５２】
最新データ表示画面１７０は、図５（Ａ）で説明したメニュー部１６１と、コンテンツ部１７２を有している。コンテンツ部１７２には、複数のブイ（図示の例では登録されている多種複数の全てのブイ）の配置を示すブイ位置表示地図部１７３と、各ブイの最新の閲覧用観測データ１３（図１参照）を示すブイ別最新データ表示部１７４を表示する。
【００５３】
過去データ表示ボタン１７６は、選択されると現在表示中のデータの一時間前の閲覧用観測データを表示するボタンであり、次データ表示ボタン１７７は、選択されると現在表示中のデータの一時間後の閲覧用観測データを表示するボタンである。これらの過去データ表示ボタン１７６や次データ表示ボタン１７７が選択されると、ＷＥＢサーバ１７は、観測情報総合処理サーバ１１の観測データ閲覧画面作成プログラム１１ａによってデータ更新の都度に作成され更新登録された所定時間分（例えば６時間分）のＨＴＭＬデータのうち該当する時刻のデータを表示する。
【００５４】
なお、各種画面は、同じメニュー部１６１の下にコンテンツ部を有する構成であるため、これ以降、図６〜図８までメニュー部１６１を図示省略してコンテンツ部のみ説明する。
【００５５】
図６は、図５（Ａ）で説明したメニュー部１６１にて「毎時グラフ」が選択されると表示する毎時グラフ表示画面１８０の画面構成の説明図である。  
図６（Ａ）に示すように、毎時グラフ表示画面１８０は、上方のサブメニュー部１８１と、グラフ表示部１８２とで構成されている。サブメニュー部１８１は、どのグラフを表示するときも共通しており、複数の表示データ選択タブによってグラフ表示するデータを選択できるように構成されている。図示する例では、表示データ選択タブとして、「平館ブイ（水温等）」、「平館ブイ（流れ）」、「青森ブイ」、「東湾ブイ（水温等）」、「簡易ブイ」、および「ユビキタスブイ」が表示されている。図６（Ａ）の水温・塩分・比重グラフ表示画面１８３は、サブメニュー部１８１で「平館ブイ（水温等）」が選択された場合に表示する。
【００５６】
図６（Ｂ）は、サブメニュー部１８１で「平館ブイ（流れ）」が選択された場合に表示する流れ成分値・絶対値グラフ表示画面１８４の画面構成図である。  
図６（Ｃ）は、サブメニュー部１８１で「東湾ブイ（水温等）」が選択された場合に表示する水温・塩分・比重・溶存酸素・気温・風・蛍光強度グラフ表示画面１８５の画面構成図である。
【００５７】
図６（Ｄ）は、サブメニュー部１８１で「青森ブイ」が選択された場合に表示する流れ水温・有義波高グラフ表示画面１８６の画面構成図である。  
図６（Ｅ）は、サブメニュー部１８１で「簡易ブイ」が選択された場合に表示する各ブイ水温グラフ表示画面１８７の画面構成図である。
【００５８】
図６（Ｆ），（Ｇ）は、サブメニュー部１８１で「ユビキタスブイ」が選択された場合に表示する各ブイ水温グラフ表示画面１８８の画面構成図である。なお、各ブイ水温グラフ表示画面１８８で表示するグラフ数が多いため、図示では上約半分を図６（Ｆ）、下約半分を図６（Ｇ）に分割表示している。
【００５９】
図７は、図５（Ａ）で説明したメニュー部１６１にて「日平均グラフ」が選択されると表示する日平均グラフ表示画面１９０の画面構成の説明図である。  
日平均グラフ表示画面１９０は、上方のグラフ選択メニュー部１９１と、それ以外のグラフ表示部１９２とで構成されている。グラフ選択メニュー部１９１は、「ブイロボ（水温等）」、「ブイロボ（塩分）」、「簡易ブイ」、および「猛暑年比較」の選択用タブが設けられている。  
図７（Ａ）のブイロボ（水温・気温・溶存酸素）日平均グラフ表示画面１９３は、グラフ選択メニュー部１９１で「ブイロボ（水温等）」が選択されると表示される。
【００６０】
図７（Ｂ）のブイロボ（塩分）日平均グラフ表示画面１９４は、グラフ選択メニュー部１９１で「ブイロボ（塩分）」が選択されると表示される。  
図７（Ｃ）の簡易ブイ（水分）日平均グラフ表示画面１９５は、グラフ選択メニュー部１９１で「簡易ブイ」が選択されると表示される。  
図７（Ｄ）のブイロボ（水温・気温・溶存酸素）猛暑年との比較日平均グラフ表示画面１９６は、グラフ選択メニュー部１９１で「猛暑年比較」が選択されると表示される。
【００６１】
これらの日平均グラフ表示画面１９０（１９３〜１９６）は、縦軸に水温等の観測項目、横軸に月日をとり、今期、昨期、平年、猛暑年などの観測値（補正後）を層別にグラフ表示している。
【００６２】
図８は、図５（Ａ）で説明したメニュー部１６１にて「半旬平均表」が選択されると表示する半旬平均表範囲指定画面２００と、指定された範囲の半旬平均表を表示する半旬平均表表示画面２１０（観測データ閲覧画面）の画面構成の説明図である。  
図８（Ａ）に示す半旬平均表範囲指定画面２００は、観測点別表示指定部２００ａと、年別表示指定部２００ｂとで構成されている。  
観測点別表示指定部２００ａは、ブイ・層指定部２０１、年範囲指定部２０２、表示する値を水温と偏差比のいずれにするかを選択する表示値選択部２０３、及び指定内容のグラフを表示する表示ボタン２０４を有している。これらにより、閲覧用データ１７ｂ（図１参照）に登録されているデータのうちどのブイおよび層について、どれだけの年範囲まで、水温または偏差比を抽出して表示するかを選択できる。
【００６３】
年別表示指定部２００ｂは、年指定部２０５、表示する値を水温と偏差比のいずれにするかを選択する表示値選択部２０６、及び指定内容のグラフを表示する表示ボタン２０７を有している。これらにより、閲覧用データ１７ｂ（図１参照）に登録されているデータのうちどの年の水温または偏差比を抽出して表示するかを選択できる。
【００６４】
観測点別表示指定部２００ａで水温表示が選択されると、図８（Ｂ）に示すように、半旬平均表表示画面２１０として観測点別水温半旬平均表示画面２２１が表示される。観測点別水温半旬平均表示画面２２１に点線２０９で示す部分を拡大した図８（Ｆ）の拡大図に示すように、縦軸２１１（第１軸）は何月の第何半旬かを表示し、横軸２１２（第２軸）は年を表示する。そして、縦軸２１１と横軸２１２の交差部分に比較結果表示部２１３をそれぞれ設けている。この比較結果表示部２１３は、平年値と比較した差（水温であれば平年との水温差）の大きさを示すものであり、比較結果表示部２１３ａ〜２１３ｃが異なる濃度で図示されているように、例えば次のように色分けして表示する。
【００６５】
青色：はなはだ低い（平年比≦−２００％  ）  
水色：かなり低い（−２００％＜平年比≦−１３０％  ）  
うす水色：やや低い（−１３０％＜平年比≦−６０％）  
白色：平年並み（−６０％＜平年比＜６０％）  
うす橙色：やや高い（６０％≦平年比＜１３０％）  
橙色：かなり高い（１３０％≦平年比＜２００％）  
赤色：はなはだ高い（２００％≦平年比）  
灰色：データ欠測
【００６６】
また、縦軸２１１と横軸２１２の交差部分には、水温または偏差比の値を表示する閲覧用観測値２１４（演算値表示部）も表示されている。この閲覧用観測値２１４は、平均値計算する基となるデータが８０％（所定割合）未満である場合、つまり欠測しているデータが２０％を超える場合に、低信頼性表示２１５（欠損有表示部）の表示形式に変更する。図示する例では、閲覧用観測値２１４を通常の数値で表示し、低信頼性表示２１５を斜体（イタリック）の数値で表示して区別している。
【００６７】
図８（Ａ）の観測点別表示指定部２００ａで偏差比表示が選択されると、図８（Ｄ）に示すように、半旬平均表表示画面２１０として観測点別偏差比半旬平均表示画面２２３が表示される。
【００６８】
図８（Ａ）の年別表示指定部２００ｂで水温表示が選択されると、図８（Ｃ）に示すように、半旬平均表表示画面２１０として年別水温半旬平均表示画面２２２が表示され、偏差比表示が選択されると、図８（Ｅ）に示すように、半旬平均表表示画面２１０として年別偏差比半旬平均表示画面２２４が表示される。この場合、図８（Ｆ）と共に説明した縦軸２１１は何月の第何半旬かを表示し、横軸２１２はブイ及び層を表示する。図示の例では、横軸２１２に平舘１ｍ層，平舘１５ｍ層，平舘３０ｍ層，平舘底層，青森１ｍ層，青森１５ｍ層，青森３０ｍ層，青森底層，東湾１ｍ層，東湾１５ｍ層，東湾３０ｍ層，東湾底層，東湾気温を表示している。
【００６９】
図９は、ユーザ端末７（スマートフォン）に対してＷＥＢサーバ１７が出力する画面の説明図である。
【００７０】
図９（Ａ），（Ｂ）は、最新データ表示画面２７０の画面構成図である。図示するように、最新データ表示画面２７０は、上方のメニュー部２６１と、それ以外のコンテンツ部２７２とで構成される。ニュー部２６１は、閲覧用トップ画面を表示する「トップ」、最新データ表示画面２７０を表示する「最新データ」、毎時グラフ表示画面２８０を表示する「毎時グラフ」、日平均グラフ表示画面２９０を表示する「日平均グラフ」、半旬平均表表示画面を表示する「半旬平均表」、「システム紹介」、および「お問い合わせ」のタブが設けられている。
【００７１】
最新データ表示画面２７０のコンテンツ部２７２は、図５（Ｂ）で説明した最新データ表示画面１７０のコンテンツ部１７２のブイ位置表示地図部１７３、ブイ別最新データ表示部１７４、過去データ表示ボタン１７６、および次データ表示ボタン１７７を表示する。これらのグラフやボタン等が縦長に配置されることを除けば、表示内容は最新データ表示画面１７０と同じである。
【００７２】
図９（Ｃ）は、毎時グラフ表示画面２８０の画面構成図を示し、図９（Ｄ）は、日平均グラフ表示画面２９０の画面構成図を示す。これらの毎時グラフ表示画面２８０および日平均グラフ表示画面２９０に表示する内容は、配置を縦長にすることを除けば毎時グラフ表示画面１８０（図６参照）および日平均グラフ表示画面１９０（図７参照）に表示する内容と同じであるため、その詳細な説明を省略する。なお、図示省略するが、ＷＥＢサーバ１７は、携帯電話用の画面も用意しており、携帯電話からのアクセスに対して携帯電話用の画面を出力する。
【００７３】
図１０は、観測情報総合処理サーバ１１の制御装置が観測データ閲覧画面作成プログラム１１ａに従って実行する処理のフローチャートである。
【００７４】
観測情報総合処理サーバ１１の制御装置は、データ取得時期でなければ（ステップＳ１：Ｎｏ）、ステップＳ１０の終了か否かの判定まで処理を進め、データ取得時期であれば（ステップＳ１：Ｙｅｓ）、ブイロボデータ取得処理を実行する（ステップＳ２）。ここで、データ取得時期は、最も精度よく観測しているブイロボ２３（図１参照）がデータ取得を実行する正時より少し後とすることが好ましく、例えば正時の５〜１０分後、好ましくは７分後とすることができる。
【００７５】
制御装置は、簡易ブイデータ取得処理（ステップＳ３）、ユビキタスブイデータ取得処理（ステップＳ４）を実行し、日平均を計算する（ステップＳ５）この日平均の計算は、ブイごと、かつ層ごと、かつ観測項目ごとに、一日の平均値を算出する。また、ステップＳ２〜Ｓ４を行う制御装置は、観測データ取得処理部として機能する。  
制御装置は、半旬分の日平均の平均値を半旬平均値として算出する（ステップＳ６）。このステップＳ５，Ｓ６を実行する制御装置は演算処理部として機能する。
【００７６】
制御装置は、取得した閲覧用観測データ１３、および算出した日平均値と半旬平均値をもとに、複数種類のグラフを作成する（ステップＳ７）。このグラフは、毎時グラフ１０６（図３（Ｆ）参照）、流れグラフ１０７（図３（Ｇ）参照）、日平均グラフ１０８（図３（Ｈ）参照）、及び日平均グラフ１０９（図３（Ｉ）参照）等のグラフであり、これらの１つのグラフを１画像ファイルとする。
【００７７】
制御装置は、取得した閲覧用観測データおよびグラフを観測データ総合データベース１２に保存し（ステップＳ８）、同じデータ（数値データおよびグラフ画像データ）をＷＥＢサーバ１７へＦＴＰによりアップロードする（ステップＳ９）。このときＷＥＢサーバ１７は、受信したデータを図１に示した閲覧データ１７ｂおよびグラフ画像１７ｃとして記憶装置に記憶して保存する。
【００７８】
終了でなければ（ステップＳ１０：Ｎｏ）、制御装置はステップＳ１に処理を戻して繰り返し、終了であれば（ステップＳ１０：Ｙｅｓ）、終了処理を行う。
【００７９】
図１０（Ｂ）は、ブイロボ２３（図１参照）からデータを取得するブイロボデータ取得処理のフローチャートである。    
観測情報総合処理サーバ１１の制御装置は、観測装置情報提供サーバ２１にアクセスし（ステップＳ２１）、エラーがあればタイムスタンプを更新せずにブイロボデータ取得処理を終了するエラー処理を行い（ステップＳ２２：Ｙｅｓ）、エラーがなければ（ステップＳ２２：Ｎｏ）、ブイロボファイル８５（図２（Ａ）参照）のタイムスタンプ８６を取得する（ステップＳ２３）。
【００８０】
制御装置は、更新されているブイロボファイル８５を取り込み（ステップＳ２４）、不要なデータを削除する等の加工をしてブイロボ閲覧用データ１０１，１０２，１０３（図３参照）の形式とし（ステップＳ２５）、これを観測データ総合データベース１２の閲覧用観測データ１３に登録し（ステップＳ２６）、タイムスタンプの記録を更新する（ステップＳ２７）。データを取り込む毎にタイムスタンプの記録を更新することで、この記録しているタイムスタンプより新しいブイロボファイル８５のみを次回以降に取り込むことができる。なお、ステップＳ２５を実行する制御装置はデータ変換処理部として機能する。また、ステップＳ２６での登録時、取り込んだブイロボファイル８５のデータのうち「状態」のフラグが強制欠測となっているデータについては、ブイロボ閲覧用データ１０１，１０２，１０３（図３参照）の「状態」に強制欠測を示すフラグを記録する。これにより、閲覧用に表示する際に、強制欠測に状態設定されているデータを欠測データとして表示しないことができる。
【００８１】
図１１（Ａ）は、簡易ブイ４２（図１参照）からデータを取得する簡易ブイデータ取得処理のフローチャートである。    
観測情報総合処理サーバ１１の制御装置は、メールサーバにアクセスして未受信の電子メールを取得する（ステップＳ３１）。このとき、受信する電子メールは、簡易観測装置情報提供サーバ４１から送信されている簡易ブイ４２の観測データの電子メールのみとする。また、簡易ブイ４２の観測データの電子メールの抽出を、別途のキーワードファイル（図示省略）に登録された検索キーワードを有する電子メールとする。これにより、新たな簡易ブイ４２が追加された場合や水深層が追加された場合にも適切にデータ取得できる。
【００８２】
制御装置は、電子メールに添付ファイルがなければ（取得したデータがＴＸＴファイル（メール本文）ではなくＣＳＶファイル（添付ファイル）であれば）（ステップＳ３２：Ｎｏ）、簡易ブイ４２（波高ブイ）の電子メール本文（図２（Ｃ）の波高ブイメール本文データ９１参照）から観測データを抽出し（ステップＳ３３）、取得したデータを簡易ブイ閲覧用データ１０４（図３（Ｄ）参照）の形式に加工し（ステップＳ３４）、ステップＳ３８へ処理を進める。なお、ステップＳ３４を実行する制御装置はデータ変換処理部として機能する。
【００８３】
添付ファイルがあった場合（ステップＳ３２：Ｙｅｓ）、制御装置は、簡易ブイ２３の電子メール本文（図２（Ｄ）の簡易ブイメール本文データ９２の参照）から観測データを抽出し（ステップＳ３５）、かつ、添付ファイル（図２（Ｅ）の簡易ブイ添付ファイル９３参照）から観測データを抽出し（ステップＳ３６）、抽出したデータを閲覧用データ１０４（図３（Ｄ）参照）の形式に加工する（ステップＳ３７）。なお、ステップＳ３７を実行する制御装置はデータ変換処理部として機能する。
【００８４】
制御装置は、加工後の閲覧用データを観測データ総合データベース１２にブイロボ閲覧用データ１０３（図３（Ｄ）参照）の形式で閲覧用観測データ１３として登録する（ステップＳ３８）。このとき、強制欠測に設定されていたデータについては、図１０（Ｂ）のステップＳ２６と同じ処理で「状態」に強制欠測を示すフラグを記録する。
【００８５】
図１１（Ｂ）は、ユビキタスブイ６２（図１参照）からデータを取得するユビキタスブイデータ取得処理のフローチャートである。    
観測情報総合処理サーバ１１の制御装置は、ユビキタス観測装置情報提供サーバ６１にアクセスしてＦＴＰ等でユビキタスブイダウンロードファイル９５（図２（Ｆ）参照）をダウンロードする（ステップＳ４１）。
【００８６】
制御装置は、エラーがあれば処理を終了し（ステップＳ４２：Ｙｅｓ）、エラーがなければ（ステップＳ４２：Ｎｏ）、前回にデータ取得に成功した時から所定時間内か否かを判定する（ステップＳ４３）。この所定時間は、例えば３時間とするなど、連続して観測データを取得できない場合に正しく補完できない時間とすることができる。所定時間を超えると（ステップＳ４３：Ｎｏ）、制御装置は連続して観測データを取得できていない期間の「状態」フラグを無効に設定して欠測とする欠測処理を行い（ステップＳ４８）、処理を終了する。
【００８７】
所定時間以内である場合（ステップＳ４３：Ｙｅｓ）、制御装置は、ユビキタスブイダウンロードファイル９５のデータのうち所定範囲のデータを抽出し（ステップＳ４４）、線形補完データを作成する推定処理を実行する（ステップＳ４５）。この線形補完データは、正時に最も近い正時前後の観測データを取得し、この２つの観測データの観測日時と観測値の交点をそれぞれ結んだ線が前記正時と交わる点の観測項目の値を補完後の観測データとして用いる。なお、ここでの補完は、適宜の関数を用いた適宜の補完とすることができるが、線形補完とすることで処理速度の速さと精度の良さを両立することができる。
【００８８】
制御装置は、線形補完後のデータをユビキタスブイ閲覧用データ１０５（図３（Ｅ）参照）の形式に加工し（ステップＳ４６）、観測データ総合データベース１２に閲覧用観測データ１３として登録する（ステップＳ４７）。このステップＳ４７での登録時、強制欠測に設定されていたデータについては、図１０（Ｂ）のステップＳ２６と同じ処理で「状態」に強制欠測を示すフラグを記録する。なお、ステップＳ４６を実行する制御装置はデータ変換処理部として機能する。
【００８９】
図１２は、ＷＥＢサーバ１７の制御装置が閲覧プログラム１７ａに従って動作する処理のフローチャートである。  
制御装置は、観測情報総合処理サーバ１１により予めグラフ画像１７ｃを用いて作成された閲覧用トップ画面１６０（図５（Ａ）参照）を、アクセスしてきたユーザ端末７，８に対して出力する（ステップＳ６１）。
【００９０】
制御装置は、メニュー部１６１（図５（Ａ）参照）で表示する画面の選択を受け付けるメニュー選択受付処理を行い（ステップＳ６２）、選択されたメニューに応じて、閲覧用トップ画面１６０（図５（Ａ）参照）を表示する閲覧用トップ画面表示処理（ステップＳ６１）、最新データ表示画面１７０を表示する最新データ表示画面表示処理（ステップＳ６３）、毎時グラフ表示画面１８０（図６参照）を表示する毎時グラフ表示画面表示処理（ステップＳ６４）、日平均グラフ表示画面１９０（図７参照）を表示する日平均グラフ表示画面表示処理（ステップＳ６５）、半旬平均表表示画面２１０（図８参照）を表示する半旬平均表表示処理（ステップＳ６６）のいずれかを実行する。その後、終了するまで（ステップＳ７２）、ステップＳ６２に戻って選択されたメニューに対応する画面を表示する。
【００９１】
半旬平均表表示処理（ステップＳ６６）を行う制御装置は、観測データ出力処理として機能し、まず、半旬平均表範囲指定画面２００（図８（Ａ）参照）により表示内容の指定操作を受け付ける表示内容指定操作受付処理を実行し（ステップＳ６７）、指定された内容に従って閲覧用データ１７ｂからデータを抽出するデータ抽出処理を実行する（ステップＳ６８）。
【００９２】
制御装置は、取得した半旬平均値のデータが基準値となる通年での平均値と比べてプラスかマイナスか、どの程度離れているかを判定して基準からの差の程度を判定する基準差判定処理を実行し（ステップＳ６９）、半旬平均値の基となるデータが所定値未満（８０％未満）のデータ不足でないかを判定する信頼性判定処理を実行する（ステップＳ７０）。なお、基準差判定処理では、平年の標準偏差を使用してどの程度の確率で発生するかを色等の表現形式で示すことも実行できる。
【００９３】
制御装置は、判定した基準差と信頼性に応じて図８（Ｂ）〜図８（Ｆ）に示した半旬平均表表示画面２１０を作成する表作成処理を実行し（ステップＳ７１）、この半旬平均表表示画面２１０をユーザ端末７，８に出力する。
【００９４】
以上の構成および動作により、利用者が簡単な操作で閲覧用データ１７ｂを見やすく表示して閲覧できるようにデータ処理する観測情報総合処理サーバ１１、観測データ閲覧画面作成方法、および観測データ閲覧画面作成プログラム１１ａを提供し、利用者の満足度を向上させることができる。
【００９５】
半旬平均表表示画面２１０（図８参照）は、比較結果表示部２１３により平年値との差を容易に確認することができる。特に、比較結果表示部２１３は、平均値から離れるほど濃い色となり、平年に比べてプラス方向は赤系統、平年に比べてマイナス方向は青系統で色付けされるため、直観的に平年との差を把握することができる。つまり、水温で赤が多い年やブイ・層は平年より水温が高く、青が多い年やブイ・層は平年より水温が低いことがわかる。しかも半旬ごとに並んでいるために水温の高い時期や低い時期を容易に見ることができるとともに、同じブイについて層（水深）違いのデータを横軸２１２に順番に並べているため、水深が深いほどどうか、浅いほどどうかといった傾向を一目見て理解することができる。
【００９６】
また、平均する基のデータが所定割合未満となると閲覧用観測値２１４を低信頼性表示２１５に変更するため、表示されているデータの信頼性を一目で理解できる。すなわち、例えば一か所だけ周囲と異なる特異な水温が表示されている部分が低信頼性表示２１５（斜体文字）となっていれば、その特異点はデータ不足が影響している可能性が高いことをすぐに認識できる。
【００９７】
また、ブイロボ２３、簡易ブイ４２、ユビキタスブイ６２といった、得られる観測項目もデータ形式も異なる様々な観測装置によるデータを、全て適切に処理して総合し、閲覧可能とできるため、多数のデータを効率良く得て容易に分析することが可能になる。特に、ユビキタスブイ６２のようにデータ取得時刻が安定していない観測装置の観測データであっても、線形補正等の補正によって正時の推定データに置き換えるため、種々の観測装置の観測データを同じ条件にして容易に比較することができる。つまり、ユビキタスブイ６２であれば、１時間の間にデータが無いケースや複数回のデータがあるケース等が混在するが、これを一律にブイロボ２３等と同じ正時の１回の推定データとするため、ブイロボ２３とユビキタスブイ６２のデータを同じ日時についてそのまま比較することが可能になる。
【００９８】
また、観測データがあるにもかかわらず通信障害等のエラーでデータ取得ができなかった場合は、次回の処理で取得できるため、安定してデータを蓄積し閲覧することができる。すなわち、ブイロボ２３であればタイムスタンプを用いることで更新されていれば取得でき、更新されていてもエラーで取得できなければ観測情報総合処理サーバ１１で保存しているタイムスタンプとの差が解消しないままであるから、次回に再度タイムスタンプの比較によってデータを取り直せる。
【００９９】
簡易ブイ４２であれば、簡易観測装置情報提供サーバ４１から電子メールを送信する際にエラーがある等してメールサーバに届いていなくても、簡易観測装置情報提供サーバ４１から次回送信される電子メールに前回エラー分までデータが記録されているため、この電子メールのデータをすべて抽出することで前回取得できなかったデータも取得できる。
【０１００】
ユビキタスブイ６２であれば、ＦＴＰによるファイルダウンロードで全データを取得するため、そのうち前回までに取得したデータより新しいデータのみ取得すれば、前回にエラーが生じていてもその前回に取得すべきであったデータも含めて漏れなく取得することができる。
【０１０１】
また、データ取得の都度に各種グラフや必要なＨＴＭＬファイルを作成して更新しておくため、静的なウェブページとして提供できる部分を多くすることができ、多人数が同時アクセスしてもストレスなく高速にグラフ等を表示することができる。その上で、傾向分析や予想等に用いられる半旬平均表については、年の指定やブイの指定等の操作を受け付け、その指定に応じた半旬平均表をその都度作成するため、利用者は必要範囲の半旬平均表を見やすい形で閲覧でき、効率よく分析することができる。
【０１０２】
この発明は、上述の実施形態の構成のみに限定されるものではなく、多くの実施の形態を得ることができる。  
例えば、半旬平均表表示画面２１０における縦軸２１１と横軸２１２は縦横逆としてもよく、比較結果表示部２１３は色の違いではなく数値のフォントサイズの違いや差の程度を示す適宜のマーク（例えば■、●、▲、△、○、□）とするなど違いを一目見て認識できる適宜の表現としてもよく、低信頼性表示２１５は、斜体文字に限らず下線文字や太字や文字色を異ならせることや低信頼性マークを付けることなどの適宜の表現としてもよい。
【０１０３】
また、観測データ閲覧画面作成装置としての観測情報総合処理サーバ１１とＷＥＢサーバ１７を別個のサーバとして構築したが、これに限らず一台のサーバコンピュータに両方の機能を兼ね備える構成とするなど、適宜の構成にすることができる。
【０１０４】
また、ブイロボ２３、簡易ブイ４２、およびユビキタスブイ６２の３種類に対応し、データ形式もＦＴＰでダウンロードする形式と電子メールで受信する形式に対応したが、この中の一部に対応する、あるいはこれよりも多くのものに対応するなど、適宜の構成とすることができる。
【産業上の利用可能性】
【０１０５】
この発明は、海況を観測するシステムに利用することができるが、これに限らず、様々な観測システムに利用することができる。
【符号の説明】
【０１０６】
１１…観測情報総合処理サーバ
１７…ＷＥＢサーバ
２３…ブイロボ
４２…簡易ブイ
６２…ユビキタスブイ
８５…ブイロボファイル
９１…波高ブイメール本文データ
９２…簡易ブイメール本文データ
９３…簡易ブイ添付ファイル
９５…ユビキタスブイダウンロードファイル
２１０…半旬平均表表示画面
２１１…縦軸
２１２…横軸
２１３…比較結果表示部
２１４…閲覧用観測値
２１５…低信頼性表示
【図１】
2015094606.tif 000003
【図２】
2015094606.tif 000004
【図３】
2015094606.tif 000005
【図４】
2015094606.tif 000006
【図６】
2015094606.tif 000007
【図７】
2015094606.tif 000008
【図９】
2015094606.tif 000009
【図１０】
2015094606.tif 000010
【図１１】
2015094606.tif 000011
【図１２】
2015094606.tif 000012
【図５】
2015094606.tif 000013
【図８】
2015094606.tif 000014